(57)【要約】【課題】中に多量の食品やスープなどの液体を盛り入れることのできるよう十分に優れた支持部強度を有する食品用紙容器を提供する。【解決手段】底部の周縁に少なくとも四つの壁部が設けられ、その壁部の外側に外縁部が設けられると共に、各壁部の間に連結プレートが設けられる食品用紙容器であって、底部と壁部及び外縁部と連結プレートとの間に夫々折れ線が設けられ、その折れ線に沿って折り曲げることにより、連結プレートを壁部の外側に接着し、外縁部の裏面に強化プレートを接着した構成とした。【選択図】　　図１
0003098253.tif 000002
【実用新案登録請求の範囲】
【請求項１】
底部の周縁に少なくとも四つの壁部が連設され、その壁部の外側に外縁部が設けられると共に、各壁部の間に連結プレートが設けられる食品用紙容器であって、
前記底部と壁部、該壁部と外縁部及び該外縁部と連結プレートとの間にそれぞれ折れ線が設けられ、その折り線に沿って折り曲げることにより、前記連結プレートを前記壁部の外側面に接着し、前記外縁部の裏面に強化プレートを配設したことを特徴とする食品用紙容器。
【請求項２】
容器の底部四縁辺は底部中央より低く形成されることを特徴とする請求項１に記載の食品用紙容器。
【請求項３】
底部の周縁に設けられる壁部の数は八つであり、連結プレートは扇形状であることを特徴とする請求項１又は２に記載の食品用紙容器。
【考案の詳細な説明】
【０００１】
【考案の属する技術分野】
本考案は、特に優れた支持部強度を有する食品用紙容器に関するものである。
【０００２】
【従来の技術】
従来の食品用紙容器は、紙素材の強度制限によって深さが浅い容器本体から形成されているため、多量の食品又はスープなどの液体を食品用紙容器内に盛ることができないので、多量の食品又はスープなどの液体を盛る場合は、使用者は磁器又は耐高温のプラスチック製品を使用していた。
【０００３】
【考案が解決しようとする課題】
従来の食品用紙容器は、以上のように構造強度が不足しているので、深さが有る容器本体を製造しても，この容器本体を利用して多量の食品又はスープなどの液体を装填した場合には、強度不足のため紙容器が壊れてしまうことがある。
【０００４】
そこで、案出されたのが本考案であって、優れた支持部強度を有する食品用紙容器を提供することを目的としている。
【０００５】
【課題を解決するための手段】
本願の請求項１の考案は、底部の周縁に少なくとも四つの壁部が連設され、その壁部の外側に外縁部が設けられると共に、各壁部の間に連結プレートが設けられる食品用紙容器であって、前記底部と壁部、該壁部と外縁部及び該外縁部と連結プレートとの間にそれぞれ折れ線が設けられ、その折り線に沿って折り曲げることにより、前記連結プレートを前記壁部の外側面に接着し、前記外縁部の裏面に強化プレートを配設したことを特徴とする食品用紙容器。
請求項２の考案は、請求項１に記載の食品用紙容器において、前記容器の底部四縁辺は底部中央より低く形成されることを特徴とする。
請求項３の考案は、請求項１又は２に記載の食品用紙容器において、底部の周縁に設けられる壁部の数は八つであり、連結プレートは扇形状であることを特徴とする。
【０００６】
【作用】
本考案は上述の課題を解決するものであり、底部を有し、底部の周辺に少なくともそれぞれ対を成す二対の壁部からなる四つの壁部が設けられると共に、各壁部の間に連結プレートが設置され、壁部の外側に外縁部が設けられると共に、外縁部の裏面に強化プレートを接着等により配設することにより、容器の支持部強度の向上を達成できる。
【０００７】
【考案の実施の形態】
以下、添付図面を参照して本考案の好適な実施の形態を詳細に説明する。尚、下記実施例は、本考案の好適な実施の形態を示したものにすぎず、本考案の技術的範囲は、下記実施例に何ら限定されるものではない。
【０００８】
図１は本考案に係わる食品用紙容器の第一実施例を示す全体斜視図であり、図２は本考案に係わる食品用紙容器の第一実施例の展開状態を示す平面図であり、図３は本考案に係わる食品用紙容器の第一実施例の一部分解斜視図であり、図４は本考案に係わる食品用紙容器の第一実施例の底部を示す側面図であり、図５は本考案に係わる食品用紙容器の第二実施例の底部を示す側面図であり、図６は本考案に係わる食品用紙容器の第三実施例の展開状態を示す平面図であり、図７は本考案に係わる食品用紙容器の第四実施例の一部分解斜視図であり、図８は本考案に係わる食品用紙容器の第五実施例の展開状態を示す平面図である。
【０００９】
図１乃至図３に示すように、本考案に係わる食品用紙容器１０は全体を好ましくは防水を施した防水紙等の紙製材料により成形されるもので、第一実施例では底部１１を有し、一対の小壁部１２が底部１１の対向辺に設けられると共に、一対の大壁部１３が底部１１の他の対向辺に設けられ、小壁部１２及び大壁部１３の外側に小外縁部１２４及び大外縁部１３４が設けられ、大外縁部１３４の裏面に強化プレート１３５が接着して配設され、小壁部１２と大壁部１３は連結プレート１４によって互いに連結されている。
【００１０】
上記底部１１は一対の短辺（符号なし）と一対の長辺（符号なし）を有し、各小壁部１２は一つの底辺（符号なし）と一つの上辺（符号なし）及び二つの側辺（符号なし）とを有し、小壁部１２の下辺と底部１１の短辺とを連接すると共に、その間に折れ線１２１が設けられる。
【００１１】
上記小外縁部１２４は外側辺（符号なし）と内側辺（符号なし）と両側辺（符号なし）を有し、内側辺と小壁部１２の上辺とを連接すると共に、その間に折れ線１２２が設けられる。
【００１２】
上記大壁部１３は一つの底辺（符号なし）と一つ上辺（符号なし）及び二つの側辺（符号なし）を有し、大壁部１３の底辺と底部１１の長辺とを連接すると共に、その間に折れ線１３１が設けられている。
【００１３】
上記大外縁部１３４は外側辺（符号なし）と内側辺（符号なし）と両側辺（符号なし）を有し、内側辺と大壁部１３の上辺とを連接すると共に、その間に折れ線１３３が設けられる。又、強化プレート１３５は大外縁部１３４と等しい形を有すると共に、大外縁部１３４の裏面に接着して配設される。
【００１４】
各連結プレート１４は二つの側辺（符号なし）と一つの湾曲辺（符号なし）を有する扇形状の構造であり、小壁部１２と大壁部１３との間に夫々一対設置され、連結プレート１４の側辺は小壁部１２及び大壁部１３の側辺より短く、連結プレート１４の一つの側辺が小壁部１２の側辺と連接すると共に、その間に折れ線１２３が設けられ、又、連結プレート１４の他の側辺が大壁部１３の側辺と連接すると共に、その間に折れ線１３２が設けられる。
【００１５】
本考案に係わる食品用紙容器１０を成形する場合、前記折れ線１２３，１３２に沿って折り曲げてから、連結プレート１４を小壁部１２の外側に接着し、更に、折り線１２２，１３３に沿って小外縁部１２４と大外縁部１３４を折り曲げると共に、強化プレート１３５をそれぞれの大外縁部１３４の裏面に接着して配設することにより、食品用紙容器１０を完成する。
これにより、深さの深い容器を製造することができ、更に、大外縁部１３４の裏面に強化プレート１３５が設けられることにより、容器１０の支持部強度を向上することができるので、多量の食品やスープなどの液体を盛ることができる容器とすることができる。
【００１６】
図４及び図５に示すように、容器１０，１０’における底部１１，１１’の四縁辺は底部１１，１１’中央より低く形成されることにより、食品に混合する脂等の分離する液体を底部１１，１１’の四縁辺へ流動することができる。
又、図１乃至図５に示す上述の実施例によれば、本考案に係わる食品用紙容器は異なる壁部及び底部からなり、壁部の数量は少なくとも二対である。
【００１７】
図６は，本考案に係わる食品用紙容器２０の第三実施例を示すもので、食品用紙容器２０は一つの底部２１と、二対の壁部２２，２３と、二つの平行外縁部２４と、二つの湾曲外縁部２５と、二つの強化プレート２４１と、四つの連結プレート（符号なし）とを備え、容器２０の底部２１は二つの湾曲辺（符号なし）と二つの平行辺（符号なし）を有し、一対の壁部２３が湾曲辺に夫々設けられると共に、この壁部２３の外側に湾曲外縁部２５が設けられ、他方に対となる壁部２２が平行辺に夫々設けられると共に、この壁部２２の外側に平行外縁部２４が設けられ、更に、平行外縁部２４の外側に強化プレート２４１が延設されると共に、該強化プレート２４１は平行外縁部２４の裏面側に接着等の手段により配設よりされるようになっている。
【００１８】
図７及び図８に示すように、本考案に係わる食品用容器３０，４０の第四及び第五実施例は異なる形を備える底部３１，４１を有し、その底部３１，４１の周辺に夫々壁部（符号なし）が設けられると共に、壁部の外側に外縁部（符号なし）が設けられ、外縁部の裏面に強化プレート３２，４２が接着されるようになっている。
【００１９】
【考案の効果】
本考案は上記の構成を有するので、底部を有し、底部の周辺に少なくとも互いに対をなす二対の壁部が設けられると共に、各壁部の間に連結プレートが設置され、壁部の外側に外縁部が設けられると共に、外縁部の裏面に強化プレートを配設することにより、容器の支持部強度を向上することを達成できる。したがって、深さが深い容器を製造しても、多量の食品とスープなどの液体を装填ができる容器を提供することができる。
【図面の簡単な説明】
【図１】本考案に係わる食品用紙容器の第一実施例を示す斜視図である。
【図２】本考案に係わる食品用紙容器の第一実施例の展開状態を示す平面図である。
【図３】本考案に係わる食品用紙容器の第一実施例の一部分解斜視図である。
【図４】本考案に係わる食品用紙容器の第一実施例の側面図である。
【図５】本考案に係わる食品用紙容器の第二実施例の側面図である。
【図６】本考案に係わる食品用紙容器の第三実施例の展開状態を示す平面図である。
【図７】本考案に係わる食品用紙容器の第四実施例の一部分解斜視図である。
【図８】本考案に係わる食品用紙容器の第五実施例の展開状態を示す平面図である。
【符号の説明】
１０，１０’　容器
１１，１１’　底部
１２　　　　　小壁部
１２１　　　　折れ線
１２２　　　　折れ線
１２３　　　　折れ線
１２４　　　　小外縁部
１３　　　　　大壁部
１３１　　　　折れ線
１３２　　　　折れ線
１３３　　　　折れ線
１３４　　　　大外縁部
１３５　　　　強化プレート
１４　　　　　連結プレート
２０　　　　　容器
２１　　　　　底部
２２　　　　　壁部
２３　　　　　壁部
２４　　　　　平行外縁部
２４１　　　　強化プレート
２５　　　　　湾曲外縁部
３０　　　　　容器
３１　　　　　底部
３２　　　　　強化プレート
４０　　　　　容器
４１　　　　　底部
４２　　　　　強化プレート
【図１】
0003098253.tif 000003
【図２】
0003098253.tif 000004
【図３】
0003098253.tif 000005
【図４】
0003098253.tif 000006
【図５】
0003098253.tif 000007
【図６】
0003098253.tif 000008
【図７】
0003098253.tif 000009
【図８】
0003098253.tif 000010